【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
構造：
【化１】
2018532871.tif 000001
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含むカチオン性ポリマー。
【請求項２】
Ａ及びＢが窒素である、請求項１に記載のカチオン性ポリマー。
【請求項３】
Ｃｌ−、Ｂｒ−、Ｆ−、Ｉ−、ＯＨ−、１／２ＳＯ４２−、１／３ＰＯ４３−、１／２Ｓ２−、ＡｌＯ２−から選択される１種以上のアニオンを更に含む、請求項１に記載のカチオン性ポリマー。
【請求項４】
Ｒ５が、３〜３０個の炭素原子の炭素鎖長を含む、請求項１に記載のカチオン性ポリマー。
【請求項５】
Ｒ５が、５〜１０個の炭素原子の炭素鎖長を含む、請求項１に記載のカチオン性ポリマー。
【請求項６】
Ｒ６、Ｒ７、Ｒ８、及びＲ９が水素である、請求項１に記載のカチオン性ポリマー。
【請求項７】
Ｒ１０がアルキル基である、請求項１に記載のカチオン性ポリマー。
【請求項８】
Ｒ１０がメチル基である、請求項１に記載のカチオン性ポリマー。
【請求項９】
Ｒ１１、Ｒ１２、及びＲ１３がアルキル基である、請求項１に記載のカチオン性ポリマー。
【請求項１０】
前記カチオン性ポリマーが、ポリ（Ｎ１，Ｎ１−ジアリル−Ｎ１−アルキル−Ｎ６，Ｎ６，Ｎ６−トリアルキルアルカン−１，６−ジアモニウムハライド）である、請求項１に記載のカチオン性ポリマー。
【請求項１１】
前記カチオン性ポリマーが、ポリ（Ｎ１，Ｎ１−ジアリル−Ｎ１−メチル−Ｎ６，Ｎ６，Ｎ６−トリメチルヘキサン−１，６−ジアンモニウムブロマイド）である、請求項１に記載のカチオン性ポリマー。
【請求項１２】
前記カチオン性ポリマーが、ポリ（Ｎ１，Ｎ１−ジアリル−Ｎ１−メチル−Ｎ６，Ｎ６，Ｎ６−トリエチルヘキサン−１，６−ジアモニウムブロマイド）である、請求項１に記載のカチオン性ポリマー。
【請求項１３】
前記カチオン性ポリマーが、ポリ（Ｎ１，Ｎ１−ジアリル−Ｎ１−メチル−Ｎ６，Ｎ６，Ｎ６−トリプロピルヘキサン−１，６−ジアモニウムブロマイド）である、請求項１に記載のカチオン性ポリマー。
【請求項１４】
前記カチオン性ポリマーが非界面活性剤である、請求項１に記載のカチオン性ポリマー。
【請求項１５】
前記カチオン性ポリマーが構造指向剤として利用されてメソ細孔性ゼオライトを形成する、請求項１に記載のカチオン性ポリマー。
【手続補正２】
【補正対象書類名】明細書
【補正対象項目名】０１８８
【補正方法】変更
【補正の内容】
【０１８８】
本開示の主題を詳細に、そして特定の実施形態を参照して説明したが、本開示に記載された様々な詳細は、これらの詳細が、本明細書に付随する図面の各々に特定の要素が示されている場合であっても、本開示に記載された様々な実施形態の必須成分である要素と関連することを暗示するために受け取られるべきではないことが留意される。むしろ、本明細書に添付された特許請求の範囲は、本開示の幅及び本開示に記載された様々な実施形態の対応する範囲の唯一の表現として受け取られるべきである。更に、添付の特許請求の範囲から逸脱することなく、変更及び変形が可能であることは明らかである。
以下、本発明の好ましい実施形態を項分け記載する。
実施形態１
構造：
【化１】
2018532871.tif 000002
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含むカチオン性ポリマー。
実施形態２
Ａ及びＢが窒素である、実施形態１に記載のカチオン性ポリマー。
実施形態３
Ｃｌ−、Ｂｒ−、Ｆ−、Ｉ−、ＯＨ−、１／２ＳＯ４２−、１／３ＰＯ４３−、１／２Ｓ２−、ＡｌＯ２−から選択される１種以上のアニオンを更に含む、実施形態１に記載のカチオン性ポリマー。
実施形態４
Ｒ５が、３〜３０個の炭素原子の炭素鎖長を含む、実施形態１に記載のカチオン性ポリマー。
実施形態５
Ｒ５が、５〜１０個の炭素原子の炭素鎖長を含む、実施形態１に記載のカチオン性ポリマー。
実施形態６
Ｒ６、Ｒ７、Ｒ８、及びＲ９が水素である、実施形態１に記載のカチオン性ポリマー。
実施形態７
Ｒ１０がアルキル基である、実施形態１に記載のカチオン性ポリマー。
実施形態８
Ｒ１０がメチル基である、実施形態１に記載のカチオン性ポリマー。
実施形態９
Ｒ１１、Ｒ１２、及びＲ１３がアルキル基である、実施形態１に記載のカチオン性ポリマー。
実施形態１０
Ｒ１１、Ｒ１２、及びＲ１３がメチル基である、実施形態１に記載のカチオン性ポリマー。
実施形態１１
Ｒ１１、Ｒ１２、及びＲ１３がエチル基である、実施形態１に記載のカチオン性ポリマー。
実施形態１２
Ｒ１１、Ｒ１２、及びＲ１３がプロピル基である、実施形態１に記載のカチオン性ポリマー。
実施形態１３
前記カチオン性ポリマーが、ポリ（Ｎ１，Ｎ１−ジアリル−Ｎ１−アルキル−Ｎ６，Ｎ６，Ｎ６−トリアルキルアルカン−１，６−ジアモニウムハライド）である、実施形態１に記載のカチオン性ポリマー。
実施形態１４
前記カチオン性ポリマーが、ポリ（Ｎ１，Ｎ１−ジアリル−Ｎ１−メチル−Ｎ６，Ｎ６，Ｎ６−トリメチルヘキサン−１，６−ジアンモニウムブロマイド）である、実施形態１に記載のカチオン性ポリマー。
実施形態１５
前記カチオン性ポリマーが、ポリ（Ｎ１，Ｎ１−ジアリル−Ｎ１−メチル−Ｎ６，Ｎ６，Ｎ６−トリエチルヘキサン−１，６−ジアモニウムブロマイド）である、実施形態１に記載のカチオン性ポリマー。
実施形態１６
前記カチオン性ポリマーが、ポリ（Ｎ１，Ｎ１−ジアリル−Ｎ１−メチル−Ｎ６，Ｎ６，Ｎ６−トリプロピルヘキサン−１，６−ジアモニウムブロマイド）である、実施形態１に記載のカチオン性ポリマー。
実施形態１７
前記カチオン性ポリマーが非界面活性剤である、実施形態１に記載のカチオン性ポリマー。
実施形態１８
前記カチオン性ポリマーが構造指向剤として利用されてメソ細孔性ゼオライトを形成する、実施形態１に記載のカチオン性ポリマー。
実施形態１９
Ｈ−ＮＭＲピークを、
０．６５ｐｐｍ〜１．０５ｐｐｍ、
１．１ｐｐｍ〜１．５ｐｐｍ、
１．４ｐｐｍ〜１．８ｐｐｍ、
２．６ｐｐｍ〜３．０ｐｐｍ、及び
２．８５ｐｐｍ〜３．２５ｐｐｍのうちの１つ以上で含むカチオン性ポリマー。
実施形態２０
前記カチオン性ポリマーが、Ｈ−ＮＭＲピークを、
０．６５ｐｐｍ〜１．０５ｐｐｍ、
１．１ｐｐｍ〜１．５ｐｐｍ、
１．４ｐｐｍ〜１．８ｐｐｍ、
２．６ｐｐｍ〜３．０ｐｐｍ、及び
２．８５ｐｐｍ〜３．２５ｐｐｍで含む、実施形態１９に記載のカチオン性ポリマー。
実施形態２１
前記カチオン性ポリマーを生成するための方法であって、前記方法が、
塩化物アニオンを有するジアリルメチルアンモニウム塩酸塩カチオンをジアリルアミンから形成するステップと、
前記ジアリルメチルアンモニウム塩酸塩を重合してポリ（ジアリルメチルアンモニウム塩酸塩）（ＰＤＭＡＨ）を形成するステップと、
前記ポリ（ジアリルメチルアンモニウム塩酸塩）（ＰＤＭＡＨ）からポリ（ジアリルメチルアミン）（ＰＤＭＡ）を形成するステップと、
トリアルキルアミンをジハロアルカンと反応させることによってハライドアニオンを有するアンモニウムハライドカチオンを形成するステップと、
前記ＰＤＭＡを前記アンモニウムハライドカチオンと反応させることによって実施形態１に記載のカチオン性ポリマーを形成するステップと、
を含む、方法。
実施形態２２
前記カチオン性ポリマーが、構造：
【化２】
2018532871.tif 000003
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含む、実施形態２１に記載の方法。
実施形態２３
前記塩化物アニオンを有するジアリルメチルアンモニウム塩酸塩カチオンが、前記ジアリルアミンをギ酸、ホルムアルデヒド、及びＨＣｌと接触させることによって形成される、実施形態２１に記載の方法。
実施形態２４
前記ジアリルメチルアンモニウム塩酸塩が、２，２’−アゾビス（２−メチルプロピオンアミジン）二塩酸塩（ＡＡＰＨ）との接触によって重合される、実施形態２１に記載の方法。
実施形態２５
前記ポリ（ジアリルメチルアミン）（ＰＤＭＡ）が、前記ポリ（ジアリルメチルアンモニウム塩酸塩）（ＰＤＭＡＨ）をメタン及びナトリウムメトキシドと接触させることによって形成される、実施形態２１に記載の方法。
実施形態２６
構造指向剤としてカチオン性ポリマーを利用することによって生成される触媒であって、前記構造指向剤として利用される前記カチオン性ポリマーが、構造：
【化３】
2018532871.tif 000004
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含む、触媒。
実施形態２７
前記触媒がメソ細孔性ゼオライトである、実施形態２６に記載の触媒。
実施形態２８
メソ細孔性ゼオライトを生成するための方法であって、前記方法が、
カチオン性ポリマー及び１種以上の前駆体材料を組み合わせてミクロ細孔を含む中間体材料を形成するステップであって、
前記カチオン性ポリマーが、前記ミクロ細孔の形成のための構造指向剤として作用し、
前記カチオン性ポリマーが、炭化水素鎖によって結合した２つ以上の第４級アンモニウムカチオンまたは第４級ホスホニウムカチオンを含むモノマーを含む、形成するステップと、
中間体構造を焼成してメソ細孔性ゼオライトを形成するステップと、
を含む、方法。
実施形態２９
前記焼成が、前記中間体構造から前記カチオン性ポリマーを除去し、メソ細孔を形成する、実施形態２８に記載の方法。
実施形態３０
前記カチオン性ポリマーが、構造：
【化４】
2018532871.tif 000005
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含む、実施形態２８に記載の方法。
実施形態３１
前記前駆体材料が、ケイ素含有材料、チタン含有材料、及びアルミニウム含有材料のうちの１種以上から選択される、実施形態２８に記載の方法。
実施形態３２
前記メソ細孔性ゼオライトが、アルミノシリケート材料、チタノシリケート材料、または純粋なシリケート材料を含む、実施形態２８に記載の方法。
実施形態３３
前記メソ細孔性ゼオライトが、３５０ｍ２／ｇを超える表面積を含む、実施形態２８に記載の方法。
実施形態３４
前記メソ細孔性ゼオライトが、０．３ｃｍ３／ｇを超える細孔容積を含む、実施形態２８に記載の方法。
実施形態３５
前記メソ細孔性ゼオライトがＭＦＩ骨格型を含む、実施形態２８に記載のメソ細孔性ゼオライト。
実施形態３６
前記メソ細孔性ゼオライトがＺＳＭ−５ゼオライトである、実施形態３５に記載のメソ細孔性ゼオライト。
実施形態３７
前記メソ細孔性ゼオライトがＴＳ−１ゼオライトである、実施形態３５に記載のメソ細孔性ゼオライト。
実施形態３８
前記メソ細孔性ゼオライトがシリカライト−Ｉゼオライトである、実施形態３５に記載のメソ細孔性ゼオライト。
実施形態３９
前記メソ細孔性ゼオライトがＢＥＡ骨格型を含む、実施形態２８に記載のメソ細孔性ゼオライト。
実施形態４０
前記メソ細孔性ゼオライトがベータゼオライトである、実施形態３９に記載のメソ細孔性ゼオライト。
実施形態４１
２ｎｍ以下の直径を有する複数のミクロ細孔を含むミクロ細孔性骨格と、
２ｎｍを超え５０ｎｍ以下の直径を有する複数のメソ細孔と、を含む、メソ細孔性ゼオライトであって、
前記メソ細孔性ゼオライトが、アルミノシリケート材料、チタノシリケート材料、または純粋なシリケート材料を含み、
前記メソ細孔性ゼオライトが、３５０ｍ２／ｇを超える表面積を含み、
前記メソ細孔性ゼオライトが、０．３ｃｍ３／ｇを超える細孔容積を含む、メソ細孔性ゼオライト。
実施形態４２
前記メソ細孔性ゼオライトがＭＦＩ骨格型を含む、実施形態４１に記載のメソ細孔性ゼオライト。
実施形態４３
前記メソ細孔性ゼオライトがＺＳＭ−５ゼオライトである、実施形態４２に記載のメソ細孔性ゼオライト。
実施形態４４
前記メソ細孔性ゼオライトがＴＳ−１ゼオライトである、実施形態４２に記載のメソ細孔性ゼオライト。
実施形態４５
前記メソ細孔性ゼオライトがシリカライト−Ｉゼオライトである、実施形態４２に記載のメソ細孔性ゼオライト。
実施形態４６
前記メソ細孔性ゼオライトがＢＥＡ骨格型を含む、実施形態４１に記載のメソ細孔性ゼオライト。
実施形態４７
前記メソ細孔性ゼオライトがベータゼオライトである、実施形態４６に記載のメソ細孔性ゼオライト。
実施形態４８
前記メソ細孔性ゼオライトがアルミノシリケート材料を含む、実施形態４１に記載のメソ細孔性ゼオライト。
実施形態４９
前記メソ細孔性ゼオライトが、１０以上のＳｉのＡｌに対するモル比を含む、実施形態４８に記載のメソ細孔性ゼオライト。
実施形態５０
前記メソ細孔性ゼオライトがチタノシリケート材料を含む、実施形態４１に記載のメソ細孔性ゼオライト。
実施形態５１
前記メソ細孔性ゼオライトが、３０以上のＳｉのＴｉに対するモル比を含む、実施形態５０に記載のメソ細孔性ゼオライト。
実施形態５２
前記メソ細孔性ゼオライトが純粋なシリケート材料を含む、実施形態４１に記載のメソ細孔性ゼオライト。
実施形態５３
前記メソ細孔性ゼオライトが、２５ｎｍ〜５００ｎｍのサイズの粒子を含む、実施形態４１に記載のメソ細孔性ゼオライト。
実施形態５４
２ｎｍ以下の直径を有する複数のミクロ細孔を含むミクロ細孔構造を含むゼオライトコア部分であって、前記コア部分が、アルミノシリケート材料、チタノシリケート材料、または純粋なシリケート材料を含む、ゼオライトコア部分と、
アルミノシリケート材料、チタノシリケート材料、または純粋なシリケート材料を含み、かつ前記コア部分を取り囲むメソ細孔性ゼオライトシェル部分であって、前記シェル部分が、
２ｎｍ以下の直径を有する複数のミクロ細孔を含むミクロ細孔性骨格と、
２ｎｍを超え５０ｎｍ以下の直径を有する複数のメソ細孔と、を含む、メソ細孔性ゼオライトシェル部分と、を含む、多孔質材料。
実施形態５５
前記シェル部分が、３５０ｍ２／ｇを超える表面積を含む、実施形態５４に記載の多孔質材料。
実施形態５６
前記シェル部分が、０．３ｃｍ３／ｇを超える細孔容積を含む、実施形態５４に記載の多孔質材料。
実施形態５７
前記コア部分がメソ細孔を含まない、実施形態５４に記載の多孔質材料。
実施形態５８
前記シェル部分が、２０ｎｍ〜２００ｎｍの厚さを有する、実施形態５４に記載の多孔質材料。
実施形態５９
前記コア部分が、２５ｎｍ〜５００ｎｍの長さを有する、実施形態５４に記載の多孔質材料。
実施形態６０
前記シェル部分がＭＦＩ骨格型を含む、実施形態５４に記載のメソ細孔性ゼオライト。
実施形態６１
前記シェル部分がＺＳＭ−５ゼオライトである、実施形態６０に記載のメソ細孔性ゼオライト。
実施形態６２
前記シェル部分がＴＳ−１ゼオライトである、実施形態６０に記載のメソ細孔性ゼオライト。
実施形態６３
前記シェル部分がシリカライト−Ｉゼオライトである、実施形態６０に記載のメソ細孔性ゼオライト。
実施形態６４
前記シェル部分がＢＥＡ骨格型を含む、実施形態５４に記載のメソ細孔性ゼオライト。
実施形態６５
前記シェル部分がベータゼオライトである、実施形態６４に記載のメソ細孔性ゼオライト。
実施形態６６
コア部分及びシェル部分を含むコア／シェルゼオライトを生成するための方法であって、
カチオン性ポリマー、多孔質材料の前駆体材料、及び１種以上のコアシード材料を含む混合物を形成するステップであって、前記コアシード材料がミクロ細孔構造を含む、形成するステップと、
前記コアシード材料の周りに前記シェル部分の中間体材料を形成するステップであって、前記シェル部分の中間体材料がミクロ細孔を含み、
前記カチオン性ポリマーが、前記シェル部分の中間体の前記ミクロ細孔の形成のための構造指向剤として作用し、
前記カチオン性ポリマーが、炭化水素鎖によって分離した２つ以上の第４級アンモニウムカチオンまたは第４級ホスホニウムカチオンを含むモノマーを含む、形成するステップと、
前記コア／シェル多孔質材料を焼成してコア／シェルゼオライトを形成するステップであって、前記シェル部分がメソ細孔性ゼオライトを含む、形成するステップと、
を含む、方法。
実施形態６７
前記カチオン性ポリマーが、構造：
【化５】
2018532871.tif 000006
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｎが１０〜１０，０００，０００である。）を含む、実施形態６６に記載の方法。
実施形態６８
前記焼成が、前記シェル部分の中間体構造から前記カチオン性ポリマーを除去し、前記シェル構造中でメソ細孔を形成する、実施形態６６に記載の方法。
実施形態６９
構造：
【化６】
2018532871.tif 000007
（式中、Ａが窒素またはリンであり、Ｂが窒素またはリンであり、
Ｒ５が１〜１０，０００個の炭素原子の炭素鎖長を有する分枝状または非分枝状炭化水素鎖であり、
Ｒ６、Ｒ７、Ｒ８、Ｒ９、Ｒ１０、Ｒ１１、Ｒ１２、及びＲ１３の各々が水素原子または炭化水素であり、前記炭化水素の各々が１つ以上のヘテロ原子を任意に含み、
ｏ＋ｍが１０〜１０，０００，０００である。）を含むカチオン性ポリマー。
実施形態７０
Ａ及びＢが窒素である、実施形態６９に記載のカチオン性ポリマー。
実施形態７１
Ｃｌ−、Ｂｒ−、Ｆ−、Ｉ−、ＯＨ−、１／２ＳＯ４２−、１／３ＰＯ４３−、１／２Ｓ２−、ＡｌＯ２−から選択される１種以上のアニオンを更に含む、実施形態６９に記載のカチオン性ポリマー。
実施形態７２
Ｒ５が、３〜３０個の炭素原子の炭素鎖長を含む、実施形態６９に記載のカチオン性ポリマー。
実施形態７３
Ｒ５が、５〜１０個の炭素原子の炭素鎖長を含む、実施形態６９に記載のカチオン性ポリマー。
実施形態７４
Ｒ６、Ｒ７、Ｒ８、及びＲ９が水素である、実施形態６９に記載のカチオン性ポリマー。
実施形態７５
Ｒ１０がアルキル基である、実施形態６９に記載のカチオン性ポリマー。
実施形態７６
Ｒ１０がメチル基である、実施形態６９に記載のカチオン性ポリマー。
実施形態７７
Ｒ１１、Ｒ１２、及びＲ１３がアルキル基である、実施形態６９に記載のカチオン性ポリマー。
実施形態７８
Ｒ１１、Ｒ１２、及びＲ１３がメチル基である、実施形態６９に記載のカチオン性ポリマー。
実施形態７９
Ｒ１１、Ｒ１２、及びＲ１３がエチル基である、実施形態６９に記載のカチオン性ポリマー。
実施形態８０
Ｒ１１、Ｒ１２、及びＲ１３がプロピル基である、実施形態６９に記載のカチオン性ポリマー。